(57)【要約】【課題】  竿体に糸通しする際、竿体内部を外部から確認しやすくて糸通しが行ないやすい中通し竿を提供する。【解決手段】  元竿１０及び中竿１，２，３を、強化繊維を備えた樹脂材によって構成してある。元竿１０の糸導入口１４を備えた部位が透視性能を備えるように、元竿１０の強化繊維として、中竿１，２，３の強化繊維よりも透明性が高い強化繊維を採用してある。【選択図】        図１
2006296342.tif 000002
【特許請求の範囲】
【請求項１】
リールからの釣り糸が竿体内部を挿通する中通し竿であって、
元竿の釣り糸導入口を備えた竿体部位に、前記元竿に短縮収納される中竿が備えている強化繊維よりも透明性が高い強化繊維を備えてある中通し竿。
【請求項２】
前記元竿の竿体全体を、前記中竿を構成している樹脂材の強化繊維よりも透明性が高い強化繊維を備えた樹脂材によって構成することにより、前記元竿の前記竿体部位に前記高透明性の強化繊維を備えてある請求項１記載の中通し竿。
【請求項３】
前記元竿を、リールシートを備えた竿元側元竿と、前記釣り糸導入口を備えるとともに前記竿元側元竿に伸縮自在に連結された竿先側元竿とによって構成してある請求項１記載の中通し竿。
【請求項４】
リールからの釣り糸が竿体内部を挿通する中通し竿であって、
元竿又は元上竿の先端部に、中間竿及び穂先が備えている強化繊維よりも透明性が高い強化繊維を備えてある中通し竿。
【発明の詳細な説明】
【技術分野】
【０００１】
本発明は、リールからの釣り糸が竿体内部を挿通する中通し竿に関する。
【背景技術】
【０００２】
従来、たとえば特許文献１に示されるように、元竿１の竿先側の内周面に嵌合された案内部材１０を備え、元竿１の釣り糸導入口６から竿体内に挿入された糸通し具５０のキャップ５２が案内部材１１の内周曲面に載って持ち上げられて元上竿２の底栓１１の貫通孔に案内されるように、糸通しの円滑化を図った中通し竿を開発した。
【０００３】
【特許文献１】特開２００４−１８７５９０号公報（段落〔００２４〕、図２）
【発明の開示】
【発明が解決しようとする課題】
【０００４】
上記した従来の技術を採用したものでも、釣り糸導入口から竿体内に入り込んだ糸通し具の先が適切な方向を向いているか否かを判断しにくいとか、糸通し具の先が竿体内のどの辺りまで届いたかを判断しにくいなど、竿体内での糸通し具の状態を確認しにくく、この面での糸通しの容易化を図る余地があった。
【０００５】
本発明の目的は、竿の必要強度を確保しながら、上記した糸通しの容易化を実現することができる中通し竿を提供することにある。
【課題を解決するための手段】
【０００６】
本第１発明にあっては、リールからの釣り糸が竿体内部を挿通する中通し竿において、
元竿の釣り糸導入口を備えた竿体部位に、前記元竿に短縮収納される中竿が備えている強化繊維よりも透明性が高い強化繊維を備えてある。
【０００７】
すなわち、中竿に、カーボン繊維などの強化繊維によって高い強度を備えさせながら、元竿の前記竿体部位には、透明性の高い強化繊維のため、竿体の内部を外部から見通すことが可能な透視性能を備えさせることができる。
【０００８】
元竿の前記竿体部位に強化繊維の透明性によって透視性能を備えさせるものだから、透明板を有した窓を設けるに比して優れた強度を具備させながら透視性能を備えさせることができる。
【０００９】
従って、本第１発明によれば、中竿や元竿の高い強度や優れた強度によって竿強度を確保することができるものでありながら、竿に釣り糸を通す際、元竿の前記竿体部位が備える透視性能によって竿体の内部を外部から見通して竿体内の糸通し具の先端向きなどを確認し、釣り糸通しを容易かつスムーズに行なうことができる。
【００１０】
本第２発明にあっては、本第１発明の構成において、前記元竿の竿体全体を、前記中竿を構成している樹脂材の強化繊維よりも透明性が高い強化繊維を備えた樹脂材によって構成することにより、前記元竿の前記竿体部位に前記高透明性の強化繊維を備えてある。
【００１１】
すなわち、透明性が高い強化繊維を備えた樹脂材を加工して元竿の竿体全体を作製すれば、釣り糸導入口を備えた竿体部位に透視性能を備えさせることができる。
【００１２】
従って、本第２発明によれば、元竿の竿体全体を一種の素材で作製するだけで竿体部位に透視性能を備えさせることができ、糸通しが容易かつスムーズに行なえるものでありながら、製作手間の面から安価に得ることができる。
【００１３】
本第３発明にあっては、本第１発明の構成において、前記元竿を、リールシートを備えた竿元側元竿と、前記釣り糸導入口を備えるとともに前記竿元側元竿に伸縮自在に連結された竿先側元竿とによって構成してある。
【００１４】
すなわち、竿元側元竿を透明性が低い強化繊維を備えた樹脂材で作製しても、竿先側元竿を透明性が高い強化繊維を備えた樹脂材で作製して、元竿の釣り糸導入口を備えた竿体部位に透視性能を備えさせることができるものである。
【００１５】
従って、本第３発明によれば、糸通しを容易かつスムーズに行なうことができるように竿体部位に透視性能を備えさせたものでありながら、竿元側元竿に高い強度を備えさせ、竿全体としての強度をより高いものにすることができる。
【００１６】
本第４発明にあっては、リールからの釣り糸が竿体内部を挿通する中通し竿において、
元竿又は元上竿の先端部に、中間竿及び穂先が備えている強化繊維よりも透明性が高い強化繊維を備えてある。
【００１７】
すなわち、中間竿及び穂先に、カーボン繊維などの強化繊維によって高い強度を備えさせながら、元竿又は元上竿の先端部には、透明性の高い強化繊維のため、竿体の内部を外部から見通すことが可能な透視性能を備えさせることができる。
【００１８】
これにより、竿に釣り糸を通す際、元上竿や中間竿を元竿から引き出して行なうが、元竿の先端部に高透明性の強化繊維を備えたものであれば、元竿の先端部の内側に位置する元上竿や中間竿の底栓やその付近、及び、糸通し具の先端を元竿先端部の外部から見通して確認しながら糸通し操作を行なうことができる。
【００１９】
また、中間竿を元上竿から引き出して糸通しされる場合、元上竿の先端部に高透明性の強化繊維を備えたものであれば、元上竿の先端部の内側に位置する中間竿の底栓やその付近、及び、糸通し具の先端を元上竿先端部の外部から見通して確認しながら糸通し操作を行なうことができる。
【００２０】
従って、本第４発明によれば、中間竿や穂先の高い強度によって竿強度を確保することができるものでありながら、竿に釣り糸を通す際、元竿又は元上竿の先端部が備える透視性能によって竿体内の底栓や糸通し具を竿体外部から確認しながら容易かつスムーズに行なうことができる。
【発明を実施するための最良の形態】
【００２１】
〔第１実施例〕
以下、本発明の実施例を図面に基づいて説明する。
図１に示すように、リールシート１１などを有した元竿１０、及び、この元竿１０に伸縮自在に連結された複数本の中竿１，２，３を備えさせて、中通し竿を構成してある。
【００２２】
図１に示すように、元竿１０は、竿体１２、この竿体１２の中間部に設けた前記リールシート１１、竿体１２の前記リールシート１１よりも竿先側に設けた釣り糸導入ガイド１３を備えて構成してある。
【００２３】
元竿１０の竿体１２の全体は、図３の如き強化繊維２０を備えた管状の樹脂材によって構成してある。
すなわち、図３に示す如くガラスを素材とした長繊維形の強化繊維２０をひきそろえ、これに透明性の樹脂材を含浸させて成るプリプレグ素材２１を芯材に巻回して焼成し、焼成後に脱芯する製作方法によって作製した樹脂製の管状体によって構成してある。ガラス繊維２０に含浸させる樹脂材としては、エポキシやポリカーボネート（ＰＣ）やポリエーテルサルホン（ＰＥＳ）を採用する。
【００２４】
図２に示すように、元竿１０の前記竿体１２の前記釣り糸導入ガイド１３に対向した部位に、リング体を付設して形成した釣り糸導入口１４を設けてある。
【００２５】
前記複数本の中竿１，２，３は、元竿１０に伸縮自在に連結されており、元竿１０に短縮収納できるようになっている。すなわち、中竿１は、元竿１０に伸縮自在に連結された元上竿１であり、中竿２は、元上竿１に伸縮自在に連結された中間竿２であり、中竿３は、中間竿２に伸縮自在に連結された穂先３である。
【００２６】
元上竿１、中間竿２、穂先３のそれぞれは、図４の如き強化繊維３０を備えた管状の樹脂材によって構成してある。
すなわち、図４に示す如くカーボンを素材とした長繊維形の強化繊維３０をひきそろえ、これに樹脂材を含浸させて成るプリプレグ素材３１を芯材に巻回して焼成し、焼成後に脱芯する製作方法によって作製した樹脂製の管状体によって構成してある。
【００２７】
図２に示すように、前記複数本の中竿１，２，３のうちの元上竿１の前記元竿１０の内部に位置している竿元側端部に、底栓４を設けるとともに、この底栓４には、元上竿１、中間竿２、穂先３それぞれの内部と、元竿１０の竿体内部とを連通させる貫通孔５を設けてある。
【００２８】
元竿１０、元上竿１、中間竿２、穂先３それぞれの内部空間、及び、元上竿１の前記底栓４の貫通孔５が、糸通し具及び釣り糸７が各竿１０，１，２，３の内部を通る通路になっている。
【００２９】
元竿１０の竿体１２全体が備える前記強化繊維２０がガラスで成り、元上竿１、中間竿２、穂先３それぞれが備える前記強化繊維３０がカーボンで成っていることにより、元竿１０のうち、前記釣り糸導入口１４を備える部位であり、かつ、元竿１０から振り出された状態での元上竿１の前記底栓４の付近に位置する部位は、各中竿１，２，３が備えている強化繊維３０よりも透明性が高い強化繊維２０を備えており、元竿体内部を外部から見通すことが可能なように高透明性の強化繊維３０で成る透視性能を備えた状態になっている。
【００３０】
つまり、この中通し竿は、図１に示す如くリール８及び釣り糸７を装着して使用する。
すなわち、前記リールシート１１にリール８を装着する。このリール８から繰り出された釣り糸７が釣り糸導入ガイド１３の２箇所のガイド孔１３ａ，１３ｂ（図２参照）を通って元竿１０の釣り糸導入口１４に至り、この釣り糸導入口１４から元竿１０の竿先側の内部を挿通して元上竿１の前記底栓４に至り、この底栓４の貫通孔５から元上竿１、中間竿２、穂先３の内部を挿通して穂先３の先端の導出口から竿外に出るように釣り糸７を装着して使用する。
【００３１】
そして、釣り糸７を竿体内に通す際、図２に示すように、元上竿１を元竿１０から引き出した状態にし、釣り糸７を糸通し具９の糸係止部９ａに連結した糸通し具９を使用するのであるが、元竿１０の釣り糸導入口１４や、元上竿１の底栓４が位置する付近の元竿体１２の内部を外部から見通して、元竿体内に入っている糸通し具９の先端９ｂの向きや位置を確認しながら糸通し具９を底栓４に挿通させることができるようになっている。
【００３２】
〔第２実施例〕
図５、別の実施構造を備えた中通し竿を示し、この中通し竿にあっては、中竿１，２，３としては、第1実施構造を備えた中通し竿の元上竿１、中間竿２、穂先３と同様に構成した元上竿１、中間竿２、穂先３を備えており、元竿１０の点においてのみ、第1実施構造を備えた中通し竿と相違しており、元竿１０についてのみ説明する。
【００３３】
この元竿１０は、リールシート１１を備えた竿元側元竿１０ｂと、この竿元側元竿１０ｂとは別部品になっているとともに前記釣り糸導入ガイド１３及び前記釣り糸導入口１４を備えた竿先側元竿１０ａとによって構成してある。
【００３４】
竿先側元竿１０ａは、竿元側元竿１０ｂに伸縮自在に連結されており、元竿１０は、図５（イ）に示す如く竿先側元竿１０ａが竿元側元竿１０ｂに短縮収納された短縮状態と、図５（ロ）に示す如く竿先側元竿１０ａが竿元側元竿１０ｂから引き出された伸張状態とに切り換えられるようになっている。
【００３５】
竿元側元竿１０ｂは、この竿元側元竿１０ｂの竿体１２ｂの竿先端側に前記リールシート１１を設けて構成してある。
竿元側元竿１０ｂの竿体１２ｂは、元上竿１、中間竿２、穂先３と同様に、カーボンを素材とした強化繊維３０を備えた管状の樹脂材によって構成してある。すなわち、カーボンを素材とした長繊維形の強化繊維３０をひきそろえ、これにエポキシなどの樹脂材を含浸させて成るプリプレグ素材３１を芯材に巻回して焼成し、焼成後に脱芯する製作方法によって作製した樹脂製の管状体によって構成してある。
【００３６】
竿先側元竿１０ａの竿体１２ａは、第1実施構造を備えた元竿１０の竿体１２と同様に、ガラスを素材とした強化繊維２０を備えた管状の樹脂材によって構成してある。
すなわち、ガラスを素材とした長繊維形の強化繊維２０をひきそろえ、これにエポキシなどの樹脂材を含浸させて成るプリプレグ素材２１を芯材に巻回して焼成し、焼成後に脱芯する製作方法によって作製した樹脂製の管状体によって構成してある。
【００３７】
これにより、竿先側元竿１０ａは、各中竿１，２，３及び竿元側元竿１５が備えている強化繊維３０よりも透明性が高い強化繊維２０を備えており、元竿１０のうちの前記釣り糸導入口１４を備える部位であり、かつ、元竿１０から引き出された状態で元上竿１の前記底栓４の付近に位置する部位は、元竿体内部を外部から見通すことが可能なように高透明性の強化繊維２０で成る透視性能を備えた状態になっている。
【００３８】
〔第３実施例〕
図６は、さらに別の実施構造を備えた中通し竿を示し、この中通し竿にあっては、図３の如くガラス繊維２０を強化繊維として備えたプリプレグ素材２１によって竿体の全体を構成した元竿１０、図３の如くガラス繊維２０を強化繊維として備えたプリプレグ素材２１によって竿体の全体を構成した元上竿１、図４の如くカーボン繊維３０を強化繊維として備えたプリプレグ素材３１によって構成した中間竿２及び穂先３を備えて構成してある。
【００３９】
これにより、この中通し竿における元竿１０の先端部１０Ｓも、元上竿１の先端部１Ｓも、中間竿２及び穂先３が備えている強化繊維３０よりも透明性が高い強化繊維２０を備えており、この強化繊維２０の透明性によって透視性能を備えた状態になっている。
【００４０】
すなわち、糸通しを行なう際、元上竿１が元竿１０から引き出されて、元上竿１の底栓４が元竿１０の先端部１０Ｓの内部に位置する。このため、元竿１０の先端部１０Ｓの内部に位置する元上竿１の底栓１４やその付近、及び、糸通し具９の先端を元竿先端部１０Ｓの外部から見通して確認しながら糸通し操作することが可能になっている。
【００４１】
また、図６に示す如く中間竿２を元上竿１から引き出して糸通しを行なう際、元上竿１の先端部１Ｓの内部に位置する中間竿２の底栓６やその付近、及び、糸通し具９の先端を元上竿１の先端部１Ｓの外部から見通して確認しながら糸通し操作することが可能になっている。
【００４２】
〔別実施例〕
元竿１０や竿先側元竿１０ａのうちの前記釣り糸導入口１４を備える部位であり、かつ、元竿１０から引き出された状態での元上竿１の前記底栓４の付近に位置する部位に、あるいは、元竿１０の先端部１０Ｓや元上竿１の先端部１Ｓに、透視性能を備えるように透明性の高い強化繊維２０を備えさせるのに、上記実施形態の如くプリプレグ素材２１の全体にわたってガラス繊維で成る強化繊維２０を備えたプリプレグ素材２１によって元竿１０の竿体１２全体、又は、竿先側元竿１０ａの竿体１２ａ全体、又は、元上竿１の竿体全体を作製する製法を採用する他、図７に示すプリプレグ素材４１や、図８に示すプリプレグ素材を採用して作製する製法を採用して実施してもよい。
【００４３】
すなわち、図７に示すプリプレグ素材４１にあっては、プリプレグ素材４１の竿長手方向に沿う方向での一端部分にガラス製の強化繊維２０を備え、その他の部分にカーボン製の強化繊維３０を備え、ガラス強化繊維２０を備える部分によって元竿１０又は竿先側元竿１０ａ又は元上竿１に透視性能を備えさせる部位を作製し、カーボン強化繊維３０を備える部分によって元竿１０、竿先側元竿１０ａ、元上竿１のその他の部位を作製するように構成してある。
【００４４】
図８に示すプリプレグ素材にあっては、ガラス製の強化繊維２０を備えた分割プリプレグ素材２１と、カーボン製の強化繊維３０を備えた分割プリプレグ素材３１とを備えさせて構成してある。
すなわち、分割プリプレグ素材２１と分割プリプレグ素材３１とが芯材の長手方向に並ぶ配置にして1本の芯材に巻回して焼成され、分割プリプレグ素材２１の樹脂材と分割プリプレグ素材３１の樹脂材とが焼成による加熱によって連結し、焼成後に脱芯されると、両分割プリプレグ素材２１，３１が連結した状態になって一本の元竿１０の竿体１２全体、又は竿先側元竿１０ａの竿体１２ａ全体、又は元上竿１の竿体全体を構成するように、かつ、分割プリプレグ素材２１が元竿１０、竿先側元竿１０ａ、元上竿１に透視性能を備えさせる部位を構成し、分割プリプレグ素材３１が元竿１０、竿先側元竿１０ａ、元上竿１のその他の部位を作製するように構成してある。
【図面の簡単な説明】
【００４５】
【図１】第1実施形態の中通し竿全体の側面図
【図２】元竿の竿先側部位の糸通し状態での断面図
【図３】元竿を構成しているプリプレグ素材の説明図、
【図４】中竿を構成しているプリプレグ素材の説明図
【図５】（イ）は、第２実施形態の元竿の短縮状態での側面図、（ロ）は、第２実施形態の元竿の伸張状態での側面図
【図６】さらに別の実施構造を備えた中通し竿の断面図
【図７】別実施構造を備えた元竿構成用プリプレグ素材の説明図
【図８】別実施構造を備えた元竿構成用プリプレグ素材の説明図
【符号の説明】
【００４６】
１，２，３    中竿
７            釣り糸
８            リール
１０          元竿
１４          釣り糸導入口
１０ａ        竿先側元竿
１０ｂ        竿元側元竿
２０          元竿、元上竿の強化繊維
３０          中竿、穂先の強化繊維
【図１】
2006296342.tif 000003
【図２】
2006296342.tif 000004
【図３】
2006296342.tif 000005
【図４】
2006296342.tif 000006
【図５】
2006296342.tif 000007
【図６】
2006296342.tif 000008
【図７】
2006296342.tif 000009
【図８】
2006296342.tif 000010